(57)【要約】【課題】      従来の矯正補助具では筋肉の伸縮でバンドがズレてしまう。またサポータでは覆い隠して状態が把握できず、通気性が悪いと汗などでカブレる恐れがある。そこで本発明は従来の矯正補助具が有していた問題を解決するために棒状の弾性部材の両端を円状の弾性部材の内側に取り付けて、肘に装着して障害などで曲がり癖がついている肘を矯正することを目的とする。【解決手段】    棒状の弾性部材の両端を円状の弾性部材の内側に取り付ける。その円状の弾性部材を肘の内側に、そして棒状の弾性部材は肘の外側になるように本発明を取り付ける。これにより棒状の弾性部材が肘の外側で円状の弾性部材を外れないように支える。よって、円状の弾性部材と棒状の弾性部材の元に戻る力が肘を伸ばすこととなり、曲がり癖の矯正を行う効果を発揮するものである。【選択図】    図１
2010136846.tif 000002
【特許請求の範囲】
【請求項１】
円状の弾性部材の内側に棒状の弾性部材の両端を取り付けて肘に装着することを特徴とする矯正補助具。 
【発明の詳細な説明】
【技術分野】
【０００１】
本発明は障害などで曲がり癖のある肘を矯正して伸ばす補助具に関するものである。
【背景技術】
【０００２】
従来の矯正補助具には、関節部分の上下にバンドを装着して、その間に弾性部材を取り付けたものである（例えば特許文献１参照）。
また、サポータに弾性部材を取り付けたものもある（例えば特許文献２参照）。
【０００３】
以下、図７、図８により従来の矯正補助具について説明する。
【０００４】
図７において、下肢大腿部Ａに巻装される上バンド２と、下肢脛部Ｂに巻装される下バンド３と、これら上バンド２と下バンド３との間に連結された伸縮可能で、かつ膝伸ばし方向への不勢力を付与する弾性部材４とを備えたことを特徴とする。
【０００５】
図８において、サポータ１の長手方向にバネ材２を設けた。
【０００６】
【特許文献１】特開平７−１１６２０７
【特許文献２】特開平９−５６７４３
【発明の開示】
【発明が解決しようとする課題】
【０００７】
上記に述べた特許文献１の矯正補助具では、膝の上下にバンドを設け、その間に弾性部材を取り付けるもので、弾性部材の伸縮によって歩行を補うものだが、バンドがズレないようにするには、そうとう締め付けなければならない。
そうなると、バンドによってうっ血する恐れがあると考えられる。
【０００８】
また、バンドを装着した足の筋肉は力を入れたり、ゆるめたりして伸縮するもので、バンドがズレて補助具の機能は果たさなくなる。したがって、その度に補助具の調整を行う必要があると考えられる。
【０００９】
上記に述べた特許文献２の矯正補助具では、バネ材をサポータに設けるもので、バネ材でサポータが破れて突き出てしまう恐れがある。
【００１０】
また、サポータは矯正している肘を覆い隠して状態が把握できない。さらに、通気性が悪いと汗でカブレる恐れがある。
【００１１】
本発明は、このような従来の構成が有していた問題を解決しようとするものであり、締め付け、うっ血、ズレ、破れ、状態が把握できないことを改善するものである。
【課題を解決するための手段】
【００１２】
本発明は上記目的を達成するために、棒状の弾性部材の両端を円状の弾性部材の内側に取り付けて、肘に装着することを特徴としたものである。
【００１３】
課題解決手段による作用は、円状の弾性部材を肘の内側につける。その円状の弾性部材を曲げると、元に戻ろうとする力が働く。また、円状の弾性部材を棒状の弾性部材が肘の外側で支えて外れない伸縮力になる。よって、円状と棒状の弾性部材の元の形に戻る力が肘を伸ばすこととなり、曲がり癖の矯正を行う効果を発揮するものである。
【００１４】
本発明は全体の構造が弾性部材でできているので、肘に力が入ったり、ゆるめたりして筋肉の伸縮でもズレない。
【００１５】
また、本発明は衣服の上側でも下側でも装着することができるので、うっ血を防ぐことができる。
【００１６】
そして、本発明は矯正している部分を覆い隠すこともないので、通気性が良くカブレの抑制ができる。また肘の状態が把握しやすいものであり、取り外しが容易である。
【発明の効果】
【００１７】
上述したように本発明は弾性部材から形成されているので、装着時は容易に取り付けることができる。また、棒状の弾性部材はリングにより円状の弾性部材と連結されて可動式であるので、曲がっている肘に装着する場合でも肘に合わせて装着することができるものである。
【００１８】
また、本発明は円状および棒状の弾性部材の伸縮力により、無意識に肘の曲がり癖を矯正することができるものである。
すなわち、弾性部材の元に戻る力が曲がっている肘を伸ばすことになり自然と矯正するものである。
【００１９】
そして、棒状の弾性部材が肘の上側または下側のどちらかに寄ったとしても、円状の弾性部材が肘の内側を中心として装着している限りは矯正を行っているものである。
【００２０】
肘の動きでズレることがなく、サポータのように矯正部分を覆い隠して状態が把握できないことやカブレることもない。
【００２１】
衣類の上側でも下側でも装着ができるので、目立たず矯正することができる。
【発明を実施するための最良の形態】
【００２２】
以下、本発明の形態を図１、図２、図３、図４に基づいて説明する。
【００２３】
図１において、円状の弾性部材ａは肘の内側に来るようにする。そして棒状の弾性部材ｂと棒状の弾性部材ｃは肘の外側に来るように装着する。
【００２４】
棒状の弾性部材ｂと棒状の弾性部材ｃを肘の上側と下側に分けて取り付ける。
このとき、棒状の弾性部材ｂおよび棒状の弾性部材ｃは、上側または下側の取り付けの指定はない。
【００２５】
棒状の弾性部材ｂおよび棒状の弾性部材ｃはリングｄで円状の弾性部材ａと連結されているが、リングｄは可動式なので、取り付けるときは円状の弾性部材ａ上なら動くようになっている。
【００２６】
図２、図３、図４は、本発明の矯正補助具を示す。
本発明は円状の弾性部材ａ、棒状の弾性部材ｂおよび棒状の弾性部材ｃから形成されているので、曲がっている肘に装着する場合でも肘に合わせて調節しながら装着することができる。
【００２７】
本発明の取り付けの一実施例として、図５、図６に基づいて説明する。
【００２８】
肘の上側と下側に棒状の弾性部材ｂと棒状の弾性部材ｃを別々に装着すると、外れないようにする伸縮力が両側にかかるので、図５は肘の上側へ、図６は肘の下側に棒状の弾性部材ｂと棒状の弾性部材ｃをいっしょに取り付けることで、肘の外側で支える伸縮力を和らげる形態となる。
【００２９】
または棒状の弾性部材ｂか棒状の弾性部材ｃをどちらかひとつにして、肘の上側か下側に取り付けてもよい。
【００３０】
円状の弾性部材ａと棒状の弾性部材ｂおよび棒状の弾性部材ｃなどの伸縮を妨げないように保護部材で覆うものでもよい。そうすることによって、地肌に直接装着しても皮膚などを傷めず、また、金属アレルギーなどを防止する形態にもなる。
【００３１】
また、リングｄは棒状の弾性部材ｂおよび棒状の弾性部材ｃと一体になっている形態でもよい。
【００３２】
円状の弾性部材ａ、棒状の弾性部材ｂおよび棒状の弾性部材ｃとリングｄの接続部分が異種金属の場合、電解腐食により錆びてしまうので、同じ金属で作るか、異種金属の間へ保護部材を挟んで電解腐食を回避すると錆びないのでより良い形態となる。
【図面の簡単な説明】
【００３３】
【図１】本発明の矯正補助具を取り付けた状態を示す説明図
【図２】本発明の矯正補助具を示す正面図
【図３】本発明の矯正補助具の図２のイから見た側面図
【図４】本発明の矯正補助具の図２のｚ−ｚ断面図
【図５】本発明の矯正補助具の一実施例の説明図
【図６】本発明の矯正補助具の一実施例の説明図
【図７】従来の矯正器具を示す説明図
【図８】従来の矯正器具を示す説明図
【符号の説明】
【００３４】
Ａ  肘
ａ  円状の弾性部材
ｂ  棒状の弾性部材
ｃ  棒状の弾性部材
ｄ  リング
【図１】
2010136846.tif 000003
【図２】
2010136846.tif 000004
【図３】
2010136846.tif 000005
【図４】
2010136846.tif 000006
【図５】
2010136846.tif 000007
【図６】
2010136846.tif 000008
【図７】
2010136846.tif 000009
【図８】
2010136846.tif 000010